(57)【要約】【課題】薄型であって、かつ、内部に粒体よりなる担持体が分散して安定配置され、揮発成分の放出が良好に行われる芳香剤や消臭剤の発生装置を提供する。【解決手段】扁平形態の外装体３、４内に、揮発成分が含有される多数の粒体１０が収納され、粒体１０からの揮発成分が外装体３、４に設けられた通気開口６を通して外部に放出される揮発成分放出装置１であり、粒体１０を外装体３、４内空間に分散配置させる分散配置手段８を備えてなることを特徴とする揮発成分放出装置。【選択図】図１
2011083575.tif 000002
【特許請求の範囲】
【請求項１】
扁平形態の外装体内に、揮発成分が含有される多数の粒体が収納され、前記粒体からの揮発成分が前記外装体に設けられた通気開口を通して外部に放出される揮発成分放出装置であり、
前記粒体を前記外装体内空間に分散配置させる分散配置手段を備えてなることを特徴とする揮発成分放出装置。
【請求項２】
扁平形態の外装体内に、揮発成分が含有される多数の粒体が収納され、前記粒体からの揮発成分が前記外装体に設けられた通気開口を通して外部に放出される揮発成分放出装置であり、
前記外装体の内面に、前記外装体内空間を仕切って前記粒体を前記外装体内空間に分散配置させる仕切り部が一体に突設されてなることを特徴とする揮発成分放出装置。
【請求項３】
扁平形態の外装体内に、揮発成分が含有される多数の粒体が収納され、前記粒体からの揮発成分が前記外装体に設けられた通気開口を通して外部に放出される揮発成分放出装置であり、
前記外装体内の全体にわたって、前記外装体内空間の厚みをより小さくするスペーサーが配置され、その残る空間に前記粒体を収納することで、前記粒体を前記外装体内空間に分散配置させてなることを特徴とする揮発成分放出装置。
【請求項４】
扁平形態の外装体内に、揮発成分が含有される多数の粒体が収納され、前記粒体からの揮発成分が前記外装体に設けられた通気開口を通して外部に放出される揮発成分放出装置であり、
前記外装体内に、前記粒体を通気性を有する扁平形態袋内に納める状態で収納することで、前記粒体を前記外装体内空間に分散配置させてなることを特徴とする揮発成分放出装置。
【発明の詳細な説明】
【技術分野】
【０００１】  この発明は、揮発性の芳香剤や消臭剤等を収納し、その成分を外部に放出させる揮発成分放出装置に関する。
【背景技術】
【０００２】    厨房やトイレ、また、リビング等の家屋内、さらには自動車内において、その空間の居心地を良くするよう芳香剤や消臭剤がひろく用いられている。そのような芳香剤や消臭剤は、一般に液状のものがビンに収納され通気開口から揮発成分が外部に放出されるようになっている。上記のように芳香剤や消臭剤が液状となったものは、こぼれやすくてその取り扱いが難しいとともに、ビンや容器に付着して汚れとなりやすく、また、一般に揮発度合いが高く消耗が速いという傾向があった。
【発明の概要】
【発明が解決しようとする課題】
【０００３】  そこで、最近においては芳香剤や消臭剤の揮発成分を各種の担持体に含浸保持させることが行われ、例えばその担持体として樹脂製の３ｍｍ径程度の粒体よりなる揮発成分の発生性能に優れるものが提供されている。一方、最近この種の芳香剤や消臭剤の発生装置としては、貼り付けタイプや吊り下げタイプ等の薄型でコンパクトなのものの提供が増えている。【０００４】  この発明は上記の点に鑑みて行ったもので、薄型であって、かつ、内部に粒体よりなる担持体が分散して安定配置され、揮発成分の放出が良好に行われる芳香剤や消臭剤の発生装置を提供することを目的とする。【０００５】  請求項１の発明では、扁平形態の外装体内に、揮発成分が含有される多数の粒体が収納され、前記粒体からの揮発成分が前記外装体に設けられた通気開口を通して外部に放出される揮発成分放出装置であり、前記粒体を前記外装体内空間に分散配置させる分散配置手段を備えてなることを特徴とする揮発成分放出装置を提供する。【０００６】  上記構成によれば、粒体は分配配置手段により分散配置されることで、内部空間の下部に粒体が偏り固まって位置することが回避され、これにより、全ての粒体の表面が空気に触れやすくなって効率良く揮発成分の放出が行われ、かつ、その揮発成分の揮発成分放出装置からの放出も外装体の全体の通気開口を通して効率良く行われる。【０００７】  請求項２の発明では、扁平形態の外装体内に、揮発成分が含有される多数の粒体が収納され、前記粒体からの揮発成分が前記外装体に設けられた通気開口を通して外部に放出される揮発成分放出装置であり、前記外装体の内面に、前記外装体内空間を仕切って前記粒体を前記外装体内空間に分散配置させる仕切り部が一体に突設されてなることを特徴とする揮発成分放出装置を提供する。【０００８】  上記構成によれば、粒体は仕切り部それぞれで仕切られた空間内に分散配置されることで、内部空間の下部に粒体が偏り固まって位置することが回避され、これにより、全ての粒体の表面が空気に触れやすくなって効率良く揮発成分の放出が行われ、かつ、その揮発成分の揮発成分放出装置からの放出も外装体の全体の通気開口を通して効率良く行われる。【０００９】  請求項３の発明では、扁平形態の外装体内に、揮発成分が含有される多数の粒体が収納され、前記粒体からの揮発成分が前記外装体に設けられた通気開口を通して外部に放出される揮発成分放出装置であり、前記外装体内の全体にわたって、前記外装体内空間の厚みをより小さくするスペーサーが配置され、その残る空間に前記粒体を収納することで、前記粒体を前記外装体内空間に分散配置させてなることを特徴とする揮発成分放出装置を提供する。【００１０】  上記構成によればスペーサーが配置され、内部空間の厚さが薄くされることで粒体は内部空間全体にわたって配置され、内部空間の下部に粒体が偏り固まって位置することが回避され、これにより、全ての粒体の表面が空気に触れやすくなって効率良く揮発成分の放出が行われ、かつ、その揮発成分の揮発成分放出装置からの放出も外装体の全体の通気開口を通して効率良く行われる。スペーサーはプレート状のものが別途配置されてもよく、また、外装体内部に一体に設けられてもよ��。【００１１】  請求項４の発明では、扁平形態の外装体内に、揮発成分が含有される多数の粒体が収納され、前記粒体からの揮発成分が前記外装体に設けられた通気開口を通して外部に放出される揮発成分放出装置であり、前記外装体内に、前記粒体を通気性を有する扁平形態袋内に納める状態で収納することで、前記粒体を前記外装体内空間に分散配置させてなることを特徴とする揮発成分放出装置を提供する。【００１２】  上記構成によれば、粒体が扁平形態袋内に位置決めされる状態で内部空間内に配置されるので、内部空間の下部に粒体が偏り固まって位置することが回避され、これにより、全ての粒体の表面が空気に触れやすくなって効率良く揮発成分の放出が行われ、かつ、その揮発成分の揮発成分放出装置からの放出も外装体の全体の通気開口を通して効率良く行われる。
【発明の効果】
【００１３】  この発明のそれぞれによれば、薄型であって、かつ、内部に粒体よりなる担持体が分散して安定配置され、揮発成分の放出が良好に行われる芳香剤や消臭剤の発生装置が得られる。
【図面の簡単な説明】
【００１４】
【図１】請求項１及び請求項２の発明の揮発成分放出装置の縦方向断面図
【図２】請求項１及び請求項２の発明の揮発成分放出装置の分解構成図
【図３】請求項１及び請求項２の発明の揮発成分放出装置の変形例の縦方向断面図
【図４】請求項１及び請求項２の発明の揮発成分放出装置の変形例の分解構成図
【図５】請求項１及び請求項３の発明の揮発成分放出装置の縦方向断面図
【図６】請求項１及び請求項３の発明の揮発成分放出装置の分解構成図
【図７】請求項１及び請求項３の発明の揮発成分放出装置の変形例の縦方向断面図
【図８】請求項１及び請求項３の発明の揮発成分放出装置の変形例の分解構成図
【図９】請求項１及び請求項４の発明の揮発成分放出装置の縦方向断面図
【図１０】請求項１及び請求項４の発明の揮発成分放出装置の分解構成図
【図１１】請求項１及び請求項４の発明の揮発成分放出装置において用いる扁平形態袋の変形例の斜視図
【発明を実施するための形態】
【００１５】  図１は請求項１及び請求項２の発明の揮発成分放出装置の縦方向断面図、図２は同分解構成図である。揮発成分放出装置１はプラスチックス製で、後部プレート３の前面に前方に突出する前部カバー４が取り付けられるとともに、内部に粒体１０が収納されて構成されている。上記後部プレート３と前部カバー４とが扁平な外装体を構成する。前部カバー４には多数の２ｍｍ径程度の小形の通気開口６が設けられるとともに、後方へ凹む３本の仕切り部（分散配置手段）８が水平方向に設けられている。仕切り部８は内部空間を上下方向において４個に仕切るように位置する。粒体１０は仕切り部８それぞれで仕切られた４個の空間内に分散配置され、これにより内部空間の下部に粒体１０が偏り固まって位置することが回避される。粒体１０径は３ｍｍ程度と通気開口６径より大きく、通気開口６から外部にこぼれ出ることはない。
【００１６】  上記構成により、全ての粒体１０の表面が空気に触れやすくなって効率良く揮発成分の放出が行われ、かつ、その揮発成分の揮発成分放出装置１からの放出も前部カバー４の全体の通気開口６を通して効率良く行われる。
【００１７】  図３は請求項１及び請求項２の発明の揮発成分放出装置の変形例の縦方向断面図、図４は同分解構成図である。この実施形態では、後部プレート３面に前方に突出する３本の仕切り部（分散配置手段）１２が水平方向に設けられている。仕切り部１２は上記実施形態のものと同様に内部空間を上下方向において４個に仕切るように位置する。粒体１０は仕切り部１２それぞれで仕切られた４個の空間内に分散配置され、これにより内部空間の下部に粒体１０が偏り固まって位置することが回避される。上記構成により、上記実施形態のものと同様の作用効果を発揮する。
【００１８】  図５は請求項１及び請求項３の発明の揮発成分放出装置の縦方向断面図、図６は同分解構成図である。揮発成分放出装置１はプラスチックス製で、後部プレート３の前面に前方に突出する前部カバー４が取り付けられ、内部にプラスチックス製のプレート状のスペーサー（分散配置手段）１４が配置されるとともに粒体１０が収納されて構成されている。上記後部プレート３と前部カバー４とが扁平な外装体を構成する。前部カバー４には多数の小形の通気開口６が設けられている。プレート状のスペーサー１４が後部プレート３の前面に沿うように配置されることで、内部空間の厚さは５ｍｍ程度と薄くされ、これにより３ｍｍ径の粒体１０は内部空間の全体にわたって配置され、その結果、内部空間の下部に粒体１０が偏り固まって位置することが回避される。上記構成により、上記それぞれの実施形態のものと同様の作用効果を発揮する。
【００１９】  図７は請求項１及び請求項３の発明の揮発成分放出装置の変形例の縦方向断面図、図８は同分解構成図である。この実施形態ではスペーサー（分散配置手段）１７を後部プレート３の前面に一体に設けて、上記それぞれのものと同様の作用効果を発揮している。
【００２０】  図９は請求項１及び請求項４の発明の揮発成分放出装置の縦方向断面図、図１０は同分解構成図である。揮発成分放出装置１はプラスチックス製で、後部プレート３の前面に前方に突出する前部カバー４が取り付けられるとともに、その内部に粒体１０を収納する不織布よりなる扁平形態袋（分散配置手段）２０が納められて構成されている。上記後部プレート３と前部カバー４とが扁平な外装体を構成する。扁平形態袋２０は通気性を持つとともにある程度の剛性を持って外形を保ち、その内部空間厚みを５ｍｍ程度とし、これにより３ｍｍ径の粒体１０はその内部に全体にわたって位置決めされる状態に配置され、その結果、揮発成分放出装置１の内部空間の下部に粒体１０が偏り固まって位置することが回避される。上記構成により、上記それぞれの実施形態のものと同様の作用効果を発揮する。不織布よりなる扁平形態袋２０をプラスチックス製の密閉袋内に納めて提供し、それを取り出して揮発成分放出装置１において装着使用する。
【００２１】  図１１は上記扁平形態袋２０の変形例を示す。扁平形態袋（分散配置手段）２３はプラスチックフィルムよりなりその一面に複数の放出穴２１を備え、その放出穴２１それぞれの全体を覆うように取り剥がしシール２２が貼り付けられている。このような構成とされることで、提供時に扁平形態袋２３を密閉袋内に納める必要がなく、揮発成分の放出が使用時に取り剥がしシール２２を剥がした際に始まるので、揮発成分が十分に、かつ、無駄なく放出される。
【符号の説明】
【００２２】  １    揮発成分放出装置
３    後部プレート（外装体）
４    前部カバー（外装体）
６    通気開口
８    仕切り部（分散配置手段）
１０  粒体
【図１】
2011083575.tif 000003
【図２】
2011083575.tif 000004
【図３】
2011083575.tif 000005
【図４】
2011083575.tif 000006
【図５】
2011083575.tif 000007
【図６】
2011083575.tif 000008
【図７】
2011083575.tif 000009
【図８】
2011083575.tif 000010
【図９】
2011083575.tif 000011
【図１０】
2011083575.tif 000012
【図１１】
2011083575.tif 000013